(57)【要約】      （修正有）【課題】解除可能に密封可能な容器システムを提供する。【解決手段】この容器システムは、容器３２と、蓋３４と、ガスケットと、ロックアーム５６とを含んでいる。容器本体は、開口を画設するリップを含んでいる。蓋３４は、開口に係止可能に構成されている。蓋３４は、蓋本体とフレーム５２を備える。ガスケットは、蓋３４と協働して開口を密封する。ロックアーム５６は、蓋３４の本体に結合されている。蓋本体は、下方への移動によりロックアーム５６を内方へ移動させて係止部４８に係止させ、また上方への移動によってロックアーム５６を外方へ移動させて係止部４８から解除するように構成されている。【選択図】図２
2011184104.tif 000002
【特許請求の範囲】
【請求項１】
解除可能に密封可能な容器において、
開口を画設するリップを有する容器本体と、
開口に係止されるように構成され、蓋本体とフレームとを含む蓋と、
蓋本体及びリップと協働して開口をシールするように構成されたガスケットと、
フレームに結合される拘束アームであり、拘束アームがリップに係止して容器本体上に蓋を拘束する係止位置と、拘束アームがリップから離れて容器本体から蓋を取り外すのを可能にする脱係止位置との間で弾性的に移動可能な拘束アームと、を有する解除可能に密封可能な容器。
【請求項２】
更に、拘束アームに隣接してフレーム上に配置される解除把手を有する、請求項１記載の解除可能に密封可能な容器。
【請求項３】
解除把手は、拘束アームを弾性的に脱係止位置まで移動させる、請求項２記載の解除可能に密封可能な容器。
【請求項４】
解除把手は、弾性材料で作られる、請求項３記載の解除可能に密封可能な容器。
【請求項５】
前記リップがシール部と係止部とを含み、かつ拘束アームが肩部を備え、係止位置において肩部が係止部に接触する、請求項１記載の解除可能に密封可能な容器。
【請求項６】
リップが、円周溝を備え、ガスケットが円周溝内に配置される、請求項１記載の解除可能に密封可能な容器。
【発明の詳細な説明】
【技術分野】
【０００１】
本発明は、広くは容器に係わり、より具体的には、例えば食物等用の、密封性の蓋を有する容器に関するものである。
【背景技術】
【０００２】
容器は、様々な物品、例えば雑貨、学用品、玩具等々を入れておくものが知られている。加えて、容器は、乾燥食品、湿潤食品、液体をも含む食品の保管に用いられる。しかし、容器には、しばしば、乾燥食品を乾燥状態のまま、湿潤食品を湿潤状態のままに保つことが望まれる。更に、保管中、液体が容器内へ浸入したり、容器外へ浸出したりしないように構成することも、しばしば望まれる。
これらの用途の場合、容器内に液体や湿分を保存するために、ガスケットその他の形式のシールを有する容器を用いることが知られている。しかし、それらの容器のガスケットやシールでは、必ずしも適切には密封されず、局所的に容器に対する液体の浸入及び／又は浸出箇所が発生することがある。
【０００３】
加えて、蓋が、容器の開口全体にわたって完全に密封されているかどうかを検出することは、往々にして困難である。このことは、蓋が完全に及び／又は均一に密封されていない場合、容器から液体が漏れる可能性のある湿潤食品の場合には、特に問題である。例えば、蓋が均等に密封されていない場合、蓋又は容器の僅かな衝撃又は振動で蓋が分離し、液体が漏出する可能性が十分にある。
【発明の概要】
【課題を解決するための手段】
【０００４】
一実施例では、解除可能に密封可能な容器システムが提供される。この容器システムは、容器と、蓋と、ガスケットと、ロックアームとを含んでいる。この容器は、また開口を画設するリップを含んでいる。蓋は、この開口に係止するように構成されている。蓋は、また本体とフレームとを含んでいる。ガスケットは、蓋及びリップと協働して開口を密封するように構成されている。ロックアームは、蓋の本体に結合され、容器に蓋をロックする係止位置と、容器から蓋を取り外すことができる解除位置との間を移動するように構成されている。蓋の本体は、ロックアームと協働して、ロックアームを解除位置から係止位置へ移動させる。
【０００５】
一実施例によれば、解除可能に密封可能な容器システムが得られる。この容器システムは、容器と、蓋と、ガスケットと、ロックアームとを含んでいる。この容器は、また開口を画設するリップを含んでいる。リップは、シール部と係止部とを含んでいる。蓋は、開口に係止するように構成されている。蓋は、また本体とフレームとを含んでいる。ガスケットは、リップのシール部及び蓋と協働して開口を密封するように構成されている。ロックアームは、蓋の本体に結合されている。蓋本体は、下方への移動によりロックアームを内方へ移動させて係止部に係止させ、また上方への移動によってロックアームを外方へ移動させて係止部から解除するように構成されている。
【０００６】
一実施例によれば、このシステムは、更に、複数のロックアームを含んでいる。
一実施例によれば、このシステムは、更に、蓋のフレームに設けた少なくとも１つの解離グリップを含んでいる。一実施例によれば、ロックアームは、フレキシブルなヒンジを介して蓋本体に結合されることで、蓋本体に対して揺動可能である。
一実施例によれば、該システムは、更に、容器上に蓋の本体を拘束するため、ロックアームとリップのうちの少なくとも一方に接触するように蓋本体に結合された拘束アームを含んでいる。
【０００７】
一実施例では、リップがシール部と係止部とを含み、ロックアームがカム部を含み、該カム部が、係止位置では係止部に接触する。
一実施例によれば、ロックア−ムが鉤状部と解除部とを含み、また蓋フレームが引張り突起を含み、該引張り突起が解除部と協働することで、ロックアームが解除位置へ移動させられる。
【０００８】
一実施例によれば、容器システムを密封する方法が提供される。該方法には、開口を画設するリップを有する容器を得る段階が含まれ、該リップがシール部と係止部とを含んでおり、また開口に係止するように構成された蓋を得る段階が含まれ、該蓋が、本体と、フレームと、ロックアームとから成っており、更に、前記蓋とリップの前記シール部との間にガスケットを配置する段階と、前記本体を下方へ移動させることで、ロックアームを内方へ移動させ、係止位置に係止する段階とが含まれている。
一実施例によれば、本体を下方へ移動させることでロックアームを内方へ移動させる前記段階は、ロックアームのカム部を係止位置に係止する作業を含んでいる。
【０００９】
一実施例によれば、本体部分を下方へ移動させることでロックアームを内方へ移動させる前記段階は、ロックアームの鉤状部を係止部に係止させる作業を含んでいる。
一実施例によれば、該方法は、更に、本体部分を上方へ移動させることでロックアームを外方へ移動させ、ロックアームを係止位置から解除可能にする段階を含んでいる。
その他の実施例も、当業者には考えられよう。
【００１０】
保護請求される本発明の客体の理解を容易にする目的で、添付図面には本発明の複数実施例が示されており、以下の説明と関連して図示の実施例を検討することにより、保護対象の客体、その構成、操作、その利点の多くが、容易に理解かつ評価できる筈である。
【図面の簡単な説明】
【００１１】
【図１】容器システムの一実施例の斜視図。（実施例１）
【図２】図１の容器システムの斜視底面図。
【図３】容器システムの一実施例の一部をカットして示す分解図。
【図４Ａ】容器システムの一部を解除位置で示す断面図。
【図４Ｂ】容器システムの一部を解除位置から係止位置へ移動した状態で示す断面図。
【図４Ｃ】図４Ｂの４Ｃ‐４Ｃ線に沿って容器システムの一部を截断した断面図で、係止位置から解除位置へ移動した状態で示す図。
【図４Ｄ】係止位置から解除位置へ移動する状態で示す容器システムの一部の断面図。
【図５】蓋の本体の一実施例を示す斜視底面図。（実施例２）
【００１２】
【図６】蓋の本体の一実施例を示す斜視底面図。（実施例３）
【図７】蓋の本体の一部を示す断面図。（実施例４）
【図８】蓋のフレーム、本体、ガスケット、容器のリップの各一部を係止位置で示す断面図。（実施例５）
【図９】別の実施例による蓋のフレーム、蓋の本体、ガスケット、容器のリップの部分断面図。
【図１０】容器システムの別の実施例の斜視図。（実施例６）
【図１１】図１０の１１‐１１線に沿って截断した断面図。
【図１２】蓋本体の別に実施例の底面図。
【図１３】図１２の蓋本体の側面図。
【図１４】図１２の１４‐１４線に沿って截断した断面図。
【００１３】
【図１５】破線で示した容器を有する蓋フレームの別の実施例の斜視図。（実施例７）
【図１６】蓋本体の別の実施例の底面図。
【図１７】図１６の蓋本体の側面図。
【図１８】蓋のフレーム及び本体の一実施例を解除位置で示す部分断面図。
【図１９】蓋のフレーム、本体、容器リップの一実施例を係止位置で示す部分断面図。
【図２０】蓋のフレーム、本体、対応リップを係止位置から解除位置へ移動中の状態で示す部分断面図。
【図２１】蓋のフレーム、本体、対応リップを解除位置で示す部分断面図。
【発明を実施するための形態】
【００１４】
当業者が多段棚システムの種々の形式を更に理解するように種々の図を提示した。しかし、本発明の構成は、ここに説明する図示の形式に限定されるものではない。
本発明は、多くの異なる形式の実施例が可能だが、ここでは、本発明の好適実施例を図示し、詳細に説明する。この開示は、本発明の原理の例解であり、本発明の態様が図示の実施例に限定されるものではないことを理解されたい。
【実施例１】
【００１５】
図１〜図４Ｄには、容器システム３０の一実施例が示されている。この容器システム３０は、容器３２と蓋３４とを含んでいる。図３から最もよく分かるように、システム３０は、またガスケット３６とロックアームとを含んでいる。システム３０は、また、以下で説明するような別の特徴及び構成を含むが、これらも同じように当業者には理解されよう。
容器３２は、概して、リップ４２によって画設された開口４０と少なくとも１壁部４４とを含んでいる。開口４０の寸法及び形状は、容器３２の寸法及び形状同様、当業者には理解されるように、壁部４４の寸法及び形状に応じて変更できる。例えば、図１及び図２に示すように、容器３２は、概して長方形で、５つの壁部（４側壁及び１底壁）を有している。しかし、容器は、方形、円形等でもよく、所望のどのような寸法にも構成できる。
【００１６】
リップ４２は、シール部４６と係止部４８とを含むことができる。図４Ａ〜図４Ｄに示す一実施例では、シール部４６がリップ４２の頂部に、容器３２から外方へ向いて設けられている一方、係止部４８はリップ４２の頂部と反対側に設けられている。この形式に見られるように、シール部４６と係止部４８とは、各々、概して平らな面を含んでいる。しかし、別の実施例について後述するように、これらの部分は別の形状及び面、例えば丸い面等を含むことができる。
一実施例では、蓋３４は、概して、本体５０とフレーム５２とを含んでいる。本体５０とフレーム５２とは、一体のユニットとして構成できるが、図３に見られるように、２つの別個のユニットとして構成することもできる。概して、フレーム５２は、本体５０の周囲に設けられ、本体５０と協働して容器３２をシールするが、これについては更に詳しく後述する。
【００１７】
一実施例では、蓋の本体５０はスカート５４を含み、スカート５４は、容器３２上に本体５０が載せられた場合に、本体５０の整合補助に使用できる。例えばスカート５４は、本体５０が完全に整合した場合、開口４０の内側に丁度はめ合わされるように寸法づけが可能である。本体５０は、また１つ以上のロックアーム５６を含んでいる。図３に示されているように、一実施例では、システム３０は、４つのロックアーム５６を含んでいる。所望に応じて、ロックアーム５６の数は、より多くても、より少なくてもよいことを理解されたい。更に、図３の場合、ロックアーム５６は、システム３０の２つの側だけに設けられている。注意すべき点は、ロックアーム５６は、システム３０の３つ以上又は３つ以下の側に設けることができ、対向する側に設ける必要もない。
【００１８】
ロックアーム５６は可動で、システム３０のシールの補助に使用できる。一実施例では、図４Ａ〜図４Ｄに示すように、ロックアーム５６は、カム部５８と一体ヒンジ又はフィルムヒンジ６０とを含んでいる。ロックアーム５６は、また他の実施例に関してここで説明される別の形状又は形式をとることもでき、当業者には、それが理解されよう。
蓋の本体５０は、またガスケット３６の一部を受容するためのガスケット溝６２を含んでいる。ガスケット溝６２は、ガスケット３６を永久拘束及び／又は取り外し可能に拘束するように構成できる点に注意されたい。本体５０は、また開口４０を概して覆うカバー部６４を含んでいる。一実施例では、カバー部６４は透明であり、したがって使用者は容器３２の内部を見ることができる。
【００１９】
フレーム５２は、概して頂部６６と側部６８とを含んでいる。一実施例では、図３から最もよく分かるように、頂部６６は開口を画設し、組み付けられた場合には本体５０を見ることができる。一実施例では、フレーム５２は、また使用時、フレームの操作を補助するのに使用できる１つ以上のグリップ又は解除把手７２を含んでいる。更に、フレーム５２は１つ以上の拘束アーム７４を含むことができる。拘束アーム７４は、容器３２上でのフレーム５２の保持を補助するのに使用できる。一実施例では、フレーム５２は、フレーム両側に２つの解除把手７２を含み、各解除把手７２に隣接して設けられた２つの拘束アーム７４を含んでいる。この実施例では、解除把手７２は、拘束アーム７４の操作補助に使用できる。
【００２０】
拘束アーム７４は、蓋の本体５０、ロックアーム５６、容器３２、リップ４２、又は他の構造物と接触して、容器３２上にフレーム５２を拘束するのに使用できる。フレーム５２は、どのような数の解除把手７２及び拘束アーム７４をも含むことが可能なこと、更に、これらの構造物がフレーム上の異なる箇所に幾つでも配置できることを理解されたい。更に、拘束アーム７４は解除把手７２に隣接して配置されているが、他のどこに配置してもよく、また解除把手７２なしで使用してもよい。加えて、別の実施例では、解除把手７２も拘束アーム７４も含む必要はない。
【００２１】
フレーム５２は、当業者が理解するどのような寸法、形状、向きであってもよい。例えば、図１〜図４Ｄに示すように、フレーム５２は概して長方形である。更に、図４Ａから最もよく分かるように、一実施例では、側部６８が幾分外方へ傾斜し、容器３２から離れる方向へ延びている。この場合、側部６８の形状は、本体５０及びロックアーム５６との協働を補助するのに使用できる。
ガスケット３６は、当業者には理解されるように、どのような従来式のガスケットでもよい。既述のように、ガスケット３６は、概して蓋３４と容器３２との間に配置される。更に、一実施例では、ガスケット３６は、本体５０とリップ４２との間に配置される。その場合、ガスケット３６は、例えば溝６２内に配置されることによって、蓋本体５０に取り外し可能に固定できる。あるいは又ガスケット３６は、他の区域に配置して、他の構造物に取り外し可能に又は別の形式で結合できる。例えば、ガスケット３６は、容器３２及び／又はリップ４２の一部として形成するか、又は蓋３４及び容器３２とは別個の構成部材としてもよい。ガスケット３６を固定する他の箇所及び方法も、当業者には理解されると考えられる。
【００２２】
図１〜図４Ｄに示した構造物の操作を以下で詳説する。図４Ａでは、システム３０をシールするために、フレーム５２が蓋の本体５０の周囲に配置され、本体５０は、蓋３４と容器３２との間にガスケット３６が位置するように、容器３２上に載せられる。スカート５４は、開口を覆うように本体５０を位置決めする補助に利用される。位置決めされたら、図４Ｂに示すように、フレーム５２が概して矢印８０の方向に押し下げられる。フレーム５２は、本体５０に、より詳しく言えば、ロックアーム５６に接触し、該アームを容器３２に向かって内方へ移動させる。一実施例では、図４Ｂに示すように、フィルムヒンジ６０によってロックアーム５６の移動が助けられる。この実施例では、ロックアーム５６は、事実上、フィルムヒンジ６０の位置を中心として揺動する。
【００２３】
フレーム５２が押し下げられると、ロックアーム５６がリップ４２に係止される。図４Ａ及び図４Ｄに示した実施例では、カム面５８が係止部４６に接触し始めている。ロックアーム５６の移動によって、蓋３４と容器３２との間でのガスケット３６の圧縮が助けられる。
フレーム５２が十分に下方へ押し下げられると、拘束アーム７４が、ロックアーム５６及び／又は容器３２の少なくとも１つに係止され、フレーム５２を容器３２上で係止位置に拘束する。図２から最もよく分かるように、係止位置では、ロックアーム５６はリップ４２に係止され、フレーム５２の側部６８によってリップ４２との接触を維持される一方、拘束アーム７４は、容器上にフレームを保持する。係止位置では、ガスケット３６が、容器上で事実上気密及び／又は液密のシールを形成する。
【００２４】
蓋３４は、容器３２内に接近する場合、除去することができる。図４Ｃには、システム３０の断面が、解除把手７２及び拘束アーム７４を示すために、図４Ｂに対して９０度旋回して示されている。特に、蓋３４を取り外すために、１つ以上の解除把手７２が、矢印８２で示すように、容器から外方へ引き離されている。この場合、解除把手７２は、拘束アーム７４を容器３２及び／又はロックアーム５６から引き離し、取り外すのを補助する。拘束アーム７４が外されると、図４Ｄに矢印８４で示されているように、フレーム５２を上方へ引き外すことができるか、又はガスケット３６及び／又は本体５０がフレーム５２を押し上げることができる。
【００２５】
フレーム５２が押し上げられると、蓋の本体５０及びガスケット３６は、また上方へ延び、圧縮が解除される。本体５０が上方へ移動すると、ロックアーム５６が、矢印８６が示すように、容器３２から外方へ移動できる。ロックアーム５６は、カム面５８の形状により、リップとの係止から外れやすくなっている。ロックアーム５６が容器３２から外れると、蓋３４は、本体５０とフレーム５２を含めて、容器から取り外すことができる。
【実施例２】
【００２６】
システム３０の別の実施例を以下で詳説するが、これらの別の実施例については、簡略化のため、既述の構造物と類似の構造物の場合は詳しい説明は省略する。図５には蓋の別の一実施例が示されている。図５に示されているように、本体１００は、８つのロックアーム５６を有している。一実施例では、これらのロックアーム５６は、図１〜図４Ｄに示したものと事実上等しい。しかし、この実施例では、本体１００の側部ごとに２つのロックアーム５６が設けられている。事情によっては、特に側部及び／又は容器が大きい場合には、側部当たりのロックアームの数を多くして十分なクランプ力を得て密封性を維持するのが好ましい。更に、蓋の本体１００は、容器上への整合を補助するための内側スカート１０２と、本体上へのフレーム（図示せず）の整合及び案内を補助するための外側スカート１０４とを含んでいる。
【実施例３】
【００２７】
図６には、蓋の本体１０６の別の実施例が示されている。この形式は、図５に示した本体１００と類似し、側部ごとに２つ、全部で８つのロックアームを有している。しかし、この本体１０６は、外側スカート１０４を有しておらず、図５の本体１００のスカートより小さい内側スカート１０８を含んでいる。
【実施例４】
【００２８】
図７には、ロックアーム５６を有する更に別の蓋本体１１０が拡大して示されている。この本体１１０は、カム面５８及びフィルムヒンジ６０を含むロックアーム５６を含んでいる。本体１１０は、また内側スカート１１２、ガスケット溝１１４、隆起フレーム係止部１１６を含んでいる。隆起フレーム係止部１１６は、幾つかの実施例で利用でき、フレームのための、より明確に定められた係止部が得られる。図７に示すように、隆起フレーム係止部１１６は、ガスケット溝１１４に事実上隣接する位置に設けられ、ガスケット（図示せず）に対して最大クランプ力が確実に作用するように補助する。
【実施例５】
【００２９】
図８及び図９には、図７に示した蓋の本体１１０を利用したシステム１２０が示されている。図８に見られるように、システム１２０は、蓋の本体１１０、蓋のフレーム１２２、容器１２４、ガスケット１２６を含んでいる。フレーム１２２は頂部１２８を含み、該頂部は、フレーム係止部１１６との接触を補助するのに使用される。容器１２４は丸く折り返されたリップ１３０を含み、該リップは丸くされたシール部１３２と係止部１３４とを有している。
【００３０】
図９も、またシステム１２０を示しているが、焦点は解離グリップ１３６に合わされている。解離グリップ１３６は拘束アーム１３８を含み、該拘束アームはロックアーム５６と容器１２４のうちの少なくとも１つに係止するのに使用される。図１〜図４Ｄに示した実施例について説明したように、解離グリップ１３６を外方へ引張り、容器１２４から離間させ、拘束アーム１３８を解除し、フレーム１２２を容器１２４から取り外すことができる。この場合、フレーム１２２は、１つ以上の解離グリップ１３６に隣接する１つ以上の開放部１４０を含み、解離グリップ１３６を容器に対して内方及び外方へたわませて、フレーム１２２を容器に係止及び係止解除することができる。
【実施例６】
【００３１】
図１０〜図１４には、更に別のシステム１５０の実施例が示されている。システム１５０は、フレーム１５４及び本体１５６を含む蓋１５２を含んでいる。システム１５０は、またガスケット１５８と容器１６０とを含んでいる。図１２から最もよく分かるように、本体１５６は、その両側部に２つの大きなロックアーム１６２を含んでいる。フレーム１５４は、把手１６４形式の解離グリップを含んでいる。更に、フレーム１５４は、把手１６４に隣接する拘束アーム１６６を含んでいる。図１１から最もよく分かるように、拘束アーム１６６は、容器１６０に配置された挿入体１６８を拘束する。挿入体１６８は、リップ１７０より僅かに突出するように構成できるので、拘束アーム１６６又はロックアーム１６２がリップ１７０に接触したり、リップを摩耗させたりすることはない。一実施例では、挿入体１６８を低摩擦材料製にすることで、摩耗が最小化され、耐久性が得られる。しかし、挿入体１６８は、当業者には理解されるように、どのような材料でも作り得ることを理解されたい。
【実施例７】
【００３２】
図１５〜図２１には、更に別のシステム１８０の実施例が示されている。このシステム１８０は、フレーム１８４及び本体１８６を有する蓋１８２と、ガスケット１８７と、容器１８８とを含んでいる。フレーム１８４は、解離グリップ１９０と、少なくとも１引張り突起１９４を有する複数の開口部１９２とを含んでいる。本体１８６は複数のロックアーム１９６を含み、該ロックアームの各々が鉤状部１９８と少なくとも１解除部２００とを含んでいる。解除部２００は引張り突起１９４と協働するように配置され、構成されている。容器１８８は、鉤状部１９８を受容する溝２０４を有するリップ２０２を含んでいる。鉤状部１９８と溝２０４とは、協働して蓋１８２を容器１８８上に拘束する。
【００３３】
以下でシステム１８０の操作を、図１８〜図２１を参照して簡単に説明する。図１８には、システム１８０が解除位置で示され、蓋１８２は容器１８８から解離されて示されている。図１９では、システム１８０は、係止位置へ移動した状態で示されている。この場合、フレーム１８４は、矢印２１０が示すように、ロックアーム１９６を容器１８８に向かって内方へ強制移動させる。係止位置では、鉤状部１９８は溝２０４内に突入し、容器１８８上に蓋１８２を拘束する。
【００３４】
図２０には、システム１８０が係止位置から解除位置へ移動する状態が示されている。この場合、ロックアーム１９６は容器１８８から必ず解除される。既述のシステムの多くの場合、フレームの除去によってロックアームは、カム面のため自然に容器から解離する。しかし、システム１８０の場合には、鉤状部１９８は、カム面と同じようには機能せず、ロックアーム１９６の操作はフレーム１８４との協働で行われる。この場合、矢印２１２で示されているように、フレーム１８４を上方へ移動させると、引張り突起１９４が解除部２００と接触し、矢印２１４が示すように、ロックアーム１９６が上方かつ外方へ移動させられる。
【００３５】
当業者には、ここで説明したシステムが、容器に液密及び／又は気密のシールを設けることに利用できることが理解されよう。更に、これらのシステムでは、システムが密封されていることを使用者に知らせる確実な形式のフィードバックを得ることができる。例えば、フレームにより、本体が確実に係止可能であり、かつ／又は適切なシールが確保され、聴取可能な又は物理的な種類の「クリック」による確認が保証される。
【００３６】
ここに説明した構造物は、当業者には理解されるように、種々異なる材料から種々異なる形式で製造できる。例えば蓋及び容器は、プラスチックその他類似の材料から形成できる。加えて、これら構造物は、成形その他の加工により形成できる。最後に、これら構造物は、所望に応じて不透明及び／又は半透明及び／又は透明にできることを理解されたい。一実施例では、容器と蓋本体とを透明にして容器内容物が見えるようにすることができる。
以上の記述及び添付図面により明らかにされた事柄は、単なる説明目的のものであり、本発明を限定するものではない。図示及び説明は、特定の実施例について行ったが、当業者には、出願人の寄与の広範囲の観点を逸脱することなく複数の変化形及び変更態様が可能であることが理解されよう。請求される実際の保護範囲は、先行技術に基づく適切な観点から特許請求の範囲で定義が意図されている。
【図１】
2011184104.tif 000003
【図２】
2011184104.tif 000004
【図３】
2011184104.tif 000005
【図４Ａ】
2011184104.tif 000006
【図４Ｂ】
2011184104.tif 000007
【図４Ｃ】
2011184104.tif 000008
【図４Ｄ】
2011184104.tif 000009
【図５】
2011184104.tif 000010
【図６】
2011184104.tif 000011
【図７】
2011184104.tif 000012
【図８】
2011184104.tif 000013
【図９】
2011184104.tif 000014
【図１０】
2011184104.tif 000015
【図１１】
2011184104.tif 000016
【図１２】
2011184104.tif 000017
【図１３】
2011184104.tif 000018
【図１４】
2011184104.tif 000019
【図１５】
2011184104.tif 000020
【図１６】
2011184104.tif 000021
【図１７】
2011184104.tif 000022
【図１８】
2011184104.tif 000023
【図１９】
2011184104.tif 000024
【図２０】
2011184104.tif 000025
【図２１】
2011184104.tif 000026